(57)【要約】【課題】  各製造メーカーのジグソーパズルの寸法の相違を吸収し、異なるサイズの複数のジグソーパズルを収めることができる便利なジグソーパズル用フレームの提供。【解決手段】異なるサイズのジグソーパズルＰ１，Ｐ２またはＰ３のいずれをも乗載することができる、それらのジグソーパズルＰ１，Ｐ２またはＰ３のいずれよりも大きいサイズの台座Ａと、その台座Ａの周縁の、乗載された上記ジグソーパズルＰ１，Ｐ２またはＰ３のサイズに合わせた所定の位置に取り外し自在に取り付けることにより、該ジグソーパズルＰ１，Ｐ２，Ｐ３の周縁を押圧固定する複数の押さえ枠Ｈ・・・、Ｊ，Ｊ、Ｋ，Ｋと、を有するジグソーパズル用フレーム【選択図】  図４
2008067736.tif 000002
【特許請求の範囲】
【請求項１】
異なるサイズのジグソーパズル（Ｐ１，Ｐ２またはＰ３）のいずれをも乗載することができる、それらのジグソーパズル（Ｐ１，Ｐ２またはＰ３）のいずれよりも大きいサイズの台座（Ａ）と、その台座（Ａ）の周縁の、乗載された上記ジグソーパズル（Ｐ１，Ｐ２またはＰ３）のサイズに合わせた所定の位置に取り外し自在に取り付けることにより、該ジグソーパズル（Ｐ１，Ｐ２またはＰ３）の周縁を押圧固定する複数の押さえ枠（Ｈ・・・、Ｊ，Ｊ、Ｋ，Ｋ）と、を有することを特徴とするジグソーパズル用フレーム。
【請求項２】
上記押さえ枠（Ｈ・・・）が、上記台座Ａの縦枠（ｂ３，ｂ３）上および横枠（ｂ１，ｂ２，ｂ１，ｂ２）上に取り付けられるようにしてなる棒状のものであり、上記押さえ枠（Ｊ，Ｊ，Ｋ，Ｋ）が、上記台座（Ａ）の四隅に取り付けられるようにしてなるＬ字形のものであることを特徴とする請求項１記載のジグソーパズル用フレーム。
【請求項３】
上記各押さえ枠（Ｈ，Ｊ，Ｋ）が、それらを上記台座（Ａ）に対して、小サイズ，中サイズ，大サイズのジグソーパズル（Ｐ１，Ｐ２およびＰ３）それぞれのサイズに合わせた所定の位置に取り付けるための、小サイズジグソーパズル用嵌合手段と、中サイズジグソーパズル用嵌合手段と、大サイズジグソーパズル用嵌合手段とを備えてなることを特徴とする請求項１または２記載のジグソーパズル用フレーム。
【請求項４】
上記各押さえ枠（Ｈ，Ｊ，Ｋ）の上記小サイズジグソーパズル用嵌合手段、中サイズジグソーパズル用嵌合手段、および、大サイズジグソーパズル用嵌合手段が、該押さえ枠（Ｈ，Ｊ，Ｋ）の裏面の所定位置に形成され上記台座（Ａ）の突起（ｂ８〜ｂ２４）に嵌合する突起受部（ｈ１０〜ｈ２５）であることを特徴とする請求項３記載のジグソーパズル用フレーム。
【請求項５】
上記台座（Ａ）の周縁の、該台座（Ａ）に乗載された中サイズの上記ジグソーパズル（Ｐ２）のサイズに合わせた所定の位置に複数の上記押さえ枠（Ｈ・・・、Ｊ，Ｊ、Ｋ，Ｋ）とともに取り外し自在に取り付けられ、そのジグソーパズル（Ｐ２）の周縁を押圧固定する、中サイズジグソーパズル用補助押さえ枠（Ｒ，Ｒ、Ｓ，Ｓ）を有することを特徴とする請求項１，２，３または４記載のジグソーパズル用フレーム。
【請求項６】
上記台座（Ａ）の周縁の、該台座（Ａ）に乗載された大サイズの上記ジグソーパズル（Ｐ３）のサイズに合わせた所定の位置に複数の上記押さえ枠（Ｈ・・・、Ｊ，Ｊ、Ｋ，Ｋ）とともに取り外し自在に取り付けられ、そのジグソーパズル（Ｐ３）の周縁を押圧固定する、大サイズジグソーパズル用補助押さえ枠（Ｔ，Ｔ、Ｕ，Ｕ）を有することを特徴とする請求項５記載のジグソーパズル用フレーム。
【請求項７】
上記押さえ枠（Ｈ，Ｊ，Ｋ）および上記補助押さえ枠（Ｒ，Ｓ，Ｔ，Ｕ）が、それらの表面に複数の装飾突起（ｈ１・・・，ｊ３・・・，ｋ３・・・，ｒ１・・・，ｓ１・・・，ｔ１・・・，ｕ１・・・）を縦横に等間隔で列設してなることを特徴とする請求項１，２，３，４，５または６記載のジグソーパズル用フレーム。
【請求項８】
任意の文字，図形，または記号をかたどった外形をなすとともに、上記押さえ枠（Ｈ，Ｊ，Ｋ）および補助押さえ枠（Ｒ，Ｓ，Ｔ，Ｕ）の装飾突起（ｈ１・・・，ｊ３・・・，ｋ３・・・，ｒ１・・・，ｓ１・・・，ｔ１・・・，ｕ１・・・）に嵌合する嵌合突起（ｍ６・・・）を裏面に形成している装飾ブロック（Ｍ１・・・）を有することを特徴とする請求項１，２，３，４，５，６，または７記載のジグソーパズル用フレーム。
【請求項９】
小サイズの上記ジグソーパズル（Ｐ１）を台座（Ａ）上に位置決めするための、該台座（Ａ）の四隅の所定位置に取外し自在に乗載可能な位置決め片（Ｎ，Ｎ，Ｑ，Ｑ）を有することを特徴とする請求項１，２，３，４，５，６，７または８記載のジグソーパズル用フレーム。
【請求項１０】
互いに隣接する上記押さえ枠（Ｈ，Ｊ，Ｋ）および上記補助押さえ枠（Ｒ，Ｓ，Ｔ，Ｕ）が、押さえ枠連結手段（Ｌ，ｋ２４，ｊ９’，ｒ１４，ｓ１１，ｔ１４，ｕ１１）により互いに連結されていることを特徴とする請求項１，２，３，４，５，６，７，８または９記載のジグソーパズル用フレーム。
【発明の詳細な説明】
【技術分野】
【０００１】
本発明は、ジグソーパズル用フレームに関する。
【背景技術】
【０００２】
ジグソーパズルは、所定の絵柄や写真を印刷した印刷板を不規則な形状に型抜き分離して得た多数のパズルピースからなり、このパズルピースを適宜組み合わせて元の絵柄等が再現されるようにしたもので、そのパズルピースの数はジグソーパズルのサイズに応じて異なるが、たとえば１０００ピースのもの、５００ピースのもの、３００ピースのもの等がある。
上記のパズルピースを適宜組み合わせることで完成されたジグソーパズルは、別途用意されるジグソーパズル用フレームに収めて展示することができる（特許文献１参照）。
【０００３】
しかしながら、同じピース数のジグソーパズルではあっても、製造メーカーによりその縦横の寸法が若干相違する。
たとえば、１０００ピースのジグソーパズルのうち、主要な３タイプのもののサイズはそれぞれ、縦４９０ｍｍ×横７２０ｍｍ（小サイズ）、縦５００ｍｍ×横７５０ｍｍ（中サイズ（横長サイズ））、および、縦５１０ｍｍ×横７３５ｍｍ（大サイズ）である。
したがって、これら３タイプのジグソーパズルは、ほぼ同じ寸法であるにもかかわらず、それぞれ各製造メーカーのジグソーパズルのサイズに合わせた専用のフレームにでなければ収めることができなかったから、ユーザは各製造メーカーのジグソーパズルについて、それぞれ専用のフレームを用意せざるを得なかった。
【特許文献１】実開平５−２１９９２号公報
【発明の開示】
【発明が解決しようとする課題】
【０００４】
そこで、本発明は、各製造メーカーのジグソーパズルの寸法の相違を吸収し、異なるサイズの複数のジグソーパズルを収めることができる便利なジグソーパズル用フレームの提供を課題とする。
【課題を解決するための手段】
【０００５】
請求項１記載の本発明は、異なるサイズのジグソーパズルＰ１，Ｐ２またはＰ３のいずれをも乗載することができる、それらのジグソーパズルＰ１，Ｐ２またはＰ３のいずれよりも大きいサイズの台座Ａと、その台座Ａの周縁の、乗載された上記ジグソーパズルＰ１，Ｐ２またはＰ３のサイズに合わせた所定の位置に取り外し自在に取り付けることにより、該ジグソーパズルＰ１，Ｐ２，Ｐ３の周縁を押圧固定する複数の押さえ枠Ｈ・・・、Ｊ，Ｊ、Ｋ，Ｋと、を有するジグソーパズル用フレームである。
【０００６】
請求項２記載の本発明は、上記押さえ枠Ｈ・・・が、上記台座Ａの縦枠ｂ３，ｂ３上および横枠ｂ１，ｂ２，ｂ１，ｂ２上に取り付けられるようにしてなる棒状のものであり、上記押さえ枠Ｊ，Ｋが、上記台座Ａの四隅に取り付けられるようにしてなるＬ字形のものである請求項１記載のジグソーパズル用フレームである。
【０００７】
請求項３記載の本発明は、上記各押さえ枠Ｈ，Ｊ，Ｋが、それらを上記台座Ａに対して、小サイズ，中サイズ，大サイズの上記ジグソーパズルＰ１，Ｐ２およびＰ３それぞれのサイズに合わせた所定の位置に取り付けるための、小サイズジグソーパズル用嵌合手段と、中サイズジグソーパズル用嵌合手段と、大サイズジグソーパズル用嵌合手段とを備えてなる請求項１または２記載のジグソーパズル用フレームである。
【０００８】
請求項４記載の本発明は、上記各押さえ枠Ｈ，Ｊ，Ｋの上記小サイズジグソーパズル用嵌合手段、中サイズジグソーパズル用嵌合手段、および、大サイズジグソーパズル用嵌合手段が、該押さえ枠Ｈ，Ｊ，Ｋの裏面の所定位置に形成され上記台座Ａの突起ｂ８〜ｂ２４に嵌合する突起受部ｈ１０〜ｈ２５である請求項３記載のジグソーパズル用フレームである。
【０００９】
請求項５記載の本発明は、上記台座Ａの周縁の、該台座Ａに乗載された中サイズの上記ジグソーパズルＰ２のサイズに合わせた所定の位置に複数の上記押さえ枠Ｈ・・・、Ｊ，Ｊ、Ｋ，Ｋとともに取り外し自在に取り付けられ、そのジグソーパズルＰ２の周縁を押圧固定する、中サイズジグソーパズル用補助押さえ枠Ｒ，Ｒ、Ｓ，Ｓを有する請求項１，２，３または４記載のジグソーパズル用フレームである。
【００１０】
請求項６記載の本発明は、上記台座Ａの周縁の、該台座Ａに乗載された大サイズの上記ジグソーパズルＰ３のサイズに合わせた所定の位置に複数の上記押さえ枠Ｈ・・・、Ｊ，Ｊ、Ｋ，Ｋとともに取り外し自在に取り付けられ、そのジグソーパズルＰ３の周縁を押圧固定する、大サイズジグソーパズル用ジグソーパズル用補助押さえ枠Ｔ，Ｔ、Ｕ，Ｕを有する請求項５記載のジグソーパズル用フレームである。
【００１１】
請求項７記載の本発明は、上記押さえ枠Ｈ，Ｊ，Ｋおよび補助押さえ枠Ｒ，Ｓ，Ｔ，Ｕが、それらの表面に複数の装飾突起ｈ１・・・，ｊ３・・・，ｋ３・・・，ｒ１・・・，ｓ１・・・，ｔ１・・・，ｕ１・・・を縦横に等間隔で列設してなる請求項１，２，３，４，５または６記載のジグソーパズル用フレームである。
【００１２】
請求項８記載の本発明は、任意の文字，図形，または記号をかたどった外形をなすとともに、上記押さえ枠Ｈ，Ｊ，Ｋおよび補助押さえ枠Ｒ，Ｓ，Ｔ，Ｕの装飾突起ｈ１・・・，ｊ３・・・，ｋ３・・・，ｒ１・・・，ｓ１・・・，ｔ１・・・，ｕ１・・・に嵌合する嵌合突起ｍ６・・・を裏面に形成している装飾ブロックＭ１・・・を有する請求項１，２，３，４，５，６，または７記載のジグソーパズル用フレームである。
【００１３】
請求項９記載の本発明は、小サイズのジグソーパズルＰ１を台座Ａ上に位置決めするための、該台座Ａの四隅の所定位置に取外し自在に乗載可能な位置決め片Ｎ，Ｎ，Ｑ，Ｑを有する請求項１，２，３，４，５，６，７または８記載のジグソーパズル用フレームである。
【００１４】
請求項１０記載の本発明は、互いに隣接する上記押さえ枠Ｈ，Ｊ，Ｋおよび上記補助押さえ枠Ｒ，Ｓ，Ｔ，Ｕが、押さえ枠連結手段Ｌ，ｋ２４，ｊ９’，ｒ１４，ｓ１１，ｔ１４，ｕ１１により互いに連結されている請求項１，２，３，４，５，６，７，８または９記載のジグソーパズル用フレームである。
【発明の効果】
【００１５】
本発明ジグソーパズル用フレームによれば、異なるサイズのジグソーパズルを収めることができるので、ユーザは各製造メーカーのジグソーパズルについて、それぞれ専用のフレームを用意する必要がなく、便利である。
【発明を実施するための最良の形態】
【００１６】
以下、本発明を実施例により説明するが、本発明はこれに限られるものではない。
【実施例】
【００１７】
本実施例のジグソーパズル用フレームは、１０００ピースのジグソーパズル用のもので、サイズを異にする各製造メーカの１０００ピースのジグソーパズルのうち主要な３タイプのものを収めることができるものである。
その３タイプのジグソーパズルの完成時の寸法はそれぞれ、縦約４９０ｍｍ×横約７２０ｍｍ（以下、この寸法のものを「小サイズのジグソーパズル」といい、図面ではＰ１の符号で示す。）、縦約５００ｍｍ×横約７５０ｍｍ（以下、ここの寸法のものを「中サイズ（横長サイズ）のジグソーパズル」といい、図面ではＰ２の符号で示す。）、および、縦約５１０ｍｍ×横約７３５ｍｍ（以下、この寸法のものを「大サイズのジグソーパズル」といい、図面ではＰ３の符号で示す。）である。
【００１８】
Ａは、図７等に示すように、互いに同一の構造の第１の枠Ｂと第２の枠Ｂ’とを連結固定してなる、縦５３８ｍｍ×横７６８ｍｍの、上記ジグソーパズルＰ１，Ｐ２，Ｐ３のいずれよりもひとまわり大きい横長方形の台座である。
上記第１および第２の枠Ｂ，Ｂ’は、互いに平行な短辺ｂ１，短辺ｂ２の両端部をそれぞれ長辺ｂ３と連結用長辺ｂ４とで接続してなる縦長方形の枠状のもので、上記連結用長辺ｂ４の上面は、段差を介して、上記短辺ｂ１，ｂ２および長辺ｂ３の上面よりも下げてある。
【００１９】
上記短辺ｂ１，ｂ２と上記長辺ｂ３の内縁には、細幅の裏板支持部ｂ５が段差を介して形成されており、その裏板支持部ｂ５の上面は上記連結用長辺ｂ４の上面と面一になっている。
【００２０】
上記連結用長辺ｂ４の外縁には先端を幅広にした凸部ｂ６・・・と奥部を幅広にした凹部ｂ７・・・が交互に形成されている。
【００２１】
ｂ８，ｂ８は、長辺ｂ３が短辺ｂ１およびｂ２とそれぞれ接続する隅部の上面に起立形成された平面方形の枠状突起である。
ｂ９，ｂ９は上記枠状突起ｂ８，ｂ８内に起立形成された板状突起である。
ｂ１１およびｂ１２は上記短辺ｂ１の上記長辺ｂ３寄りの位置の外縁に立設された円柱突起である。
ｂ１４，ｂ１５は上記短辺ｂ２の上記長辺ｂ３寄りの位置の外縁に立設された円柱突起である。
ｂ１６，ｂ１７は上記長辺ｂ３の上記短辺ｂ１寄りの位置の外縁に、ｂ１８，ｂ１９は該長辺ｂ３の上記短辺ｂ２寄りの位置の外縁に、また、ｂ２０，ｂ２１は該長辺ｂ３の中央の外縁にそれぞれ立設された円柱突起である。
ｂ２２は上記円柱突起ｂ１７とｂ２０との間に、また、ｂ２３は、上記円柱突起ｂ１９とｂ２１の間にそれぞ立設された円柱突起である。
ｂ２４は、上記長辺ｂ３の円柱突起ｂ２３の、上記短辺ｂ２側近傍に立設された角柱突起である。
【００２２】
ｂ２５，ｂ２６は、上記短辺ｂ１の連結用長辺ｂ４寄りの位置の外縁に、互いに近接させ、かつ該短辺ｂ１と平行にして起立形成した案内板片である。
ｂ２７，ｂ２８は、該短辺ｂ１の長辺ｂ３寄りの位置の外縁に、互いに近接させ、かつ該短辺ｂ１と平行にして起立形成した案内板片である。
ｂ２９，ｂ３０は、上記短辺ｂ２の連結用長辺ｂ４寄りの位置の外縁に、互いに近接させ、かつ該短辺ｂ２と平行にして起立形成した案内板片である。
ｂ３１，ｂ３２は、該短辺ｂ２の長辺ｂ３寄りの位置の外縁に、互いに近接させ、かつ該短辺ｂ２と平行にして起立形成した案内板片である。
【００２３】
ｂ３３〜ｂ３６は、長辺ｂ３と短辺ｂ１が接続する隅部の内縁に形成した丸孔、ｂ３７〜ｂ４０は、長辺ｂ３と短辺ｂ２が接続する隅部の内縁に形成した丸孔である。
ｂ４１は短辺ｂ１の所定位置に、ｂ４２は短辺ｂ２の所定位置に、また、ｂ４３，ｂ４４は、長辺ｂ３の所定位置に設けた、該フレームを壁掛けする際などに紐を通すためのフックである。
ｂ４５，４６は短辺ｂ１，ｂ２が上記連結用長辺ｂ４と連続する隅部にそれぞれ形成した接続用孔、ｂ４７，ｂ４８は、その隅部の、上記連結用長辺ｂ４の外側端面に形成した位置合わせ用切欠きである。
【００２４】
上記第１の枠Ｂと第２の枠Ｂ’とは、互いの上記連結用長辺ｂ４，ｂ４の凸部ｂ６，ｂ６と凹部ｂ７，ｂ７とを互いに嵌合させて連結され、双方の上記短辺ｂ１とｂ２から構成される１対の横枠と一対の上記長辺ｂ３，ｂ３（縦枠）が、各サイズのジグソーパズルよりひとまわり大きいサイズの横長方形をなす。
【００２５】
また、その連結を強固にするため、互いに連結された上記連結用長辺ｂ４およびｂ４の両端部を、主固定板Ｄ，Ｄ（図１０）と副固定板Ｅ，Ｅ（図１１）により固定している。
【００２６】
上記主固定板Ｄは、長方形の主板ｄ１の中央に角柱ｄ２を立設するとともに、その角柱ｄ２に対し該主板ｄ１の長手方向両側の位置に、一対の円柱ｄ３，ｄ４を立設してなる。
上記副固定板Ｅは、その主固定板Ｄの主板ｄ１とほぼ同大の主板ｅ１に、上記角柱ｄ２および円柱ｄ３，ｄ４に嵌合する嵌合孔ｅ２〜ｅ４を開設してなる。
【００２７】
上記主固定板Ｄと副固定板Ｅによる第１の枠Ｂと第２の枠Ｂ’の固定は、予め連結用長辺ｂ４，ｂ４において連結した第１の枠Ｂと第２の枠Ｂ’の上記連結用長辺ｂ４，ｂ４の両端部の下側に、上記主固定板Ｄ，Ｄの主板ｄ１を位置させ、その円柱ｄ３，ｄ４を、接続用孔ｂ４５とｂ４６に挿通するとともに、角柱ｄ２を位置合わせ用切欠きｂ４７，ｂ４８に嵌合させ、さらに、上側から上記副固定板Ｅ，Ｅを、その嵌合孔ｅ２〜ｅ４を上記角柱ｄ２および円柱ｄ３，ｄ４に嵌合させることにより固定する。
【００２８】
Ｆは、上記台座Ａの上記裏板支持部ｂ５，ｂ５上に嵌合乗載することができる、縦４９０ｍｍ×横７１７ｍｍの横長方形の厚紙製の裏板である。
この裏板Ｆを台座Ａの裏板支持部ｂ５，ｂ５に嵌合乗載すると、その上面は、短辺（台座Ａの横枠）ｂ１，ｂ１、ｂ２，ｂ２、長辺（台座Ａの縦枠）ｂ３，ｂ３の上面と面一になる。
【００２９】
Ｇは、アクリル等の透明な合成樹脂製のカバー板である。その四隅には、上記台座Ａ上に乗載したときに、その四隅の枠状突起ｂ８，ｂ８，ｂ８，ｂ８に嵌合する切欠きｇ１〜ｇ４が形成されており、また、その短辺には、切欠きｇ５，ｇ６が形成されている。
【００３０】
Ｈ・・・は、図１２〜１５等に示すように、長さ３１９．９ｍｍ、幅３６ｍｍの棒状をなす押さえ枠である。
その上面には、径３ｍｍ高さ３ｍｍの円柱状の装飾突起ｈ１・・・が、縦横に５ｍｍピッチで多数列設されている。
【００３１】
この押さえ枠Ｈの一側（外側）縁部には、高さ１５ｍｍの垂下壁ｈ２が連設されており、他側（内側）縁部には高さ６ｍｍの垂下壁ｈ３が連設されている。
ｈ４，ｈ５は長手方向両端縁部の垂下壁ｈ６，ｈ７に形成された切欠き、ｈ８，ｈ９は、それらの垂下壁ｈ６，ｈ７に切欠き形成された連結片係合部である。
【００３２】
ｈ１０〜ｈ１４は、押さえ枠Ｈの下面の長手方向一側（図１３では左側）に形成された短筒状（ないし一部を切欠した短筒状、以下同じ。）の突起受部、ｈ１５〜ｈ１９は、その長手方向他側（同図では右側）に形成された短筒状の突起受部、ｈ２０〜ｈ２５は、長手方向中央に形成された短筒状の突起受部である。
また、ｈ２６は該押さえ枠Ｈの下面のやや上記垂下壁ｈ２寄りの位置に、長手方向全長にわたって設けられた板片で、ｈ２７〜ｈ２９は、該押さえ枠Ｈの裏側の長手方向一側半部の略中央の位置に、上記板片ｈ２６と平行にして、かつ互いに所定の間隔をあけて設けられた案内板片である。ｈ３０〜ｈ３２は、該押さえ片Ｈの長手方向他側半部の略中央の位置に、上記板片２６と平行に、かつ互いに所定の間隔をあけて設けられた案内板片である。
【００３３】
上記の突起受部ｈ１０，ｈ２３，ｈ２０，ｈ１５は、該押さえ枠Ｈの上記垂下壁ｈ２と板片ｈ２６との間の位置に、一直線上に所定間隔をおいて並べて配置されている。
【００３４】
上記の突起受部ｈ１３，ｈ２４，ｈ２１，ｈ１７は、該押さえ枠Ｈの上記板片ｈ２６と上記垂下壁ｈ３とのほぼ中央の位置に一直線上に所定間隔をおいて並べて、かつ、それぞれを上記突起受部ｈ１０，ｈ２３，ｈ２０，ｈ１５に対して長手方向一側（図１３では左側）にずらした位置に配置されている。
【００３５】
上記の突起受部ｈ１４，ｈ２５，ｈ２２，ｈ１８は、該押さえ枠Ｈの上記板片２６の上記垂下壁ｈ３側に隣接させ、一直線上に所定間隔をおいて並べて、かつ、上記突起受部ｈ１３，ｈ２４，ｈ２１，ｈ１７に対して上記長手方向一側にずらした位置に配置されている。
【００３６】
上記の突起受部ｈ１１は、該押さえ枠Ｈの上記板片２６の軸線上に、上記突起受部ｈ１０に対して長手方向他側（図１３では右側）にずれた位置に配置され、また、上記突起受部ｈ１９は、上記突起受部ｈ１５に対して長手方向一側（同図では左側）にずらして配置されている。
【００３７】
上記突起受部ｈ１２，ｈ１６は、該押さえ枠Ｈの上記板片２６の上記垂下壁ｈ３側の位置に、上記突起受部ｈ１１および突起受け用切欠きｈ５に対して上記長手方向他側（同図では左側）にずらした位置に配置されている。
【００３８】
Ｊ，Ｊは、図１６〜１９等に示すように、幅３６ｍｍの短腕ｊ１の基端の一側に同幅の長腕ｊ２を連設してなるＬ字形で、縦１１８ｍｍ、横６５．９５ｍｍの押さえ枠である。この上面には、径３ｍｍ高さ３ｍｍの円柱状の装飾突起ｊ３・・・が、縦横に５ｍｍピッチで多数列設されている。
この押さえ枠Ｊの外縁には、高さ１５ｍｍの垂下壁ｊ４が連設されている。
ｊ５は、長腕ｊ２の先端の垂下壁ｊ６に形成された切欠き、ｊ７は同垂下壁ｊ６に切欠き形成された連結片係合部である。
ｊ８は、短腕ｊ１の先端の垂下壁ｊ９の下縁から延出した支持板に起立形成された円柱突起である。
ｊ９’は、上記垂下壁ｊ９から水平に突出させた底板の先端に起立片を立設してなるＬ字形の押さえ枠連結片（押さえ枠連結手段）である。これは、隣接対向する上記押さえ枠Ｈの連結片係合部ｈ９に嵌合して、該押さえ枠Ｊと上記押さえ枠Ｈとを連結するものである。
【００３９】
ｊ１０〜ｊ１２は、この押さえ枠Ｊの短腕ｊ１の裏面に形成された短筒状の突起受部である。ｊ１３〜ｊ１８は、長腕ｊ２の裏面に形成された短筒状の突起受部である。また、ｊ１９〜ｊ２１は、それら短腕ｊ１と長腕ｊ２の連続する隅部分の裏面に形成された板状突起である。
【００４０】
上記突起受部（小サイズジグソーパズル用嵌合手段）ｊ１２，ｊ１８，ｊ１５および板状突起（小サイズジグソーパズル用嵌合手段）ｊ２１はそれぞれ上記垂下壁ｊ４の内側近傍に配置されている。
【００４１】
上記突起受部（大サイズジグソーパズル用嵌合手段）ｊ１１，ｊ１７，ｊ１４および板状突起（大サイズジグソーパズル用嵌合手段）ｊ２０はそれぞれ、上記突起受部ｊ１２，ｊ１８，ｊ１５および板状突起ｊ２１に対して、内側、かつ、短腕ｊ１の先端側にずらして配置されている。
【００４２】
上記突起受部（中サイズジグソーパズル用嵌合手段）ｊ１０，ｊ１６，ｊ１３および板状突起（中サイズジグソーパズル用嵌合手段）ｊ１９は、それぞれ、上記突起受部ｊ１１，ｊ１７，ｊ１４および板状突起ｊ２０に対して、短腕ｊ１の先端側でかつ長腕ｊ２の基端側にずらして配置されている。
【００４３】
Ｋ，Ｋは、図２０〜２３に示すように、上記押さえ枠Ｊと線対称な、すなわち短腕ｋ１の基端に対して、上記押さえ枠Ｊとは反対側に長腕ｋ２を連設した（逆）Ｌ字形の押さえ枠である（押さえ枠Ｊの符号ｊ１〜ｊ２１と対応する箇所に符号ｋ１〜ｋ２１を付した。）。この押さえ枠Ｋ，Ｋは、対称な形状であることを除けば上記押さえ枠Ｊ，Ｊとほぼ同構造であるが、長腕ｋ２の先端の垂下壁ｋ６には、連結片係合部に代えて、該垂下壁ｋ６から突出させた支持板に円柱突起ｋ２３を起立形成し、またＬ字形の押さえ枠連結片（押さえ枠連結手段）ｋ２４を突出形成している点を異にする。
【００４４】
Ｌ・・・は、図２４等に示すように、方形の底板Ｌ１の対向両縁に起立板Ｌ２，Ｌ２を立設した断面コ字形をなす、上記押さえ枠Ｈ，Ｈ同士または押さえ枠Ｈ，Ｊ相互を連結するための押さえ枠連結片（押さえ枠連結手段）である。
これは、互いに対向隣接させた上記押さえ枠Ｈ同士、または押さえ枠ＨとＪを、互いの連結片係合部ｈ８，ｈ９，ｊ７に上記起立板Ｌ２，Ｌ２を嵌合させることにより連結するものである。
【００４５】
Ｍ１〜Ｍ５は、図２７〜２９に示したように、それぞれ、アルファベットの「ｅ」、「ｎ」、「ｓ」、「Ｋ」、Ｙ」をかたどった外形（平面形状）をなす装飾ブロックである。これらは、その裏面に所定の配置にして、十字形または略「ト」字形の嵌合突起ｍ６・・・を形成している。
これら文字ブロックＭ１〜Ｍ５は、上記嵌合突起ｍ６・・・を、押さえ枠Ｈ，Ｊ，Ｋの装飾突起ｈ１・・・，ｊ３・・・，ｋ３・・・に嵌合させてそれらの上面の任意の箇所に取り外し自在に取り付けることができるものである。
なお、上記５種以外にも、他の各種のアルファベットや、その他の文字，図形，または記号をかたどった装飾ブロックを用意することができる。
これらの装飾ブロックはまた、後記の補助押さえ枠Ｒ，Ｓ，Ｔ，Ｕの上面にも同様に取り付け可能である。
【００４６】
Ｎは、下面に環状の突起ｎ１，ｎ２を形成した長方形の幅広板ｎ３の長手方向一端部の一側（図１５（ａ）では上端部の右側）に、同じく下面に環状の突起ｎ４，ｎ５を形成した長方形の幅細板ｎ６を連設した略Ｌ字形をなす小サイズジグソーパズル用位置決め片である（図２５）。
ｎ７は、幅広板ｎ３と幅細板ｎ６が連続する隅部の外側に形成した切欠き部である。
この位置決め片Ｎは、上記台座Ａの縦枠（長辺ｂ３）と横枠（短辺ｂ１）とが連続する隅部（図７では左上および右下隅部）に、上記突起ｎ１，ｎ２，ｎ４，ｎ５を丸孔ｂ３３〜ｂ３６に嵌合させて、かつ、切欠き部ｎ７を上記枠状突起ｂ８に嵌合させて取外し自在に乗載される。
【００４７】
Ｑは、図２６に示すように、上記位置決め片Ｎとは線対称な、すなわち幅広板ｑ３の長手方向他端部の一側（図１６（ａ）では下端部の右側）に幅細板ｑ６を連設した小サイズジグソーパズル用位置決め片で（位置決め片Ｎの符号ｎ１〜ｎ７と対応する箇所に符号ｑ１〜ｑ７を付した。）、これは、台座Ａの縦枠（長辺ｂ３）と横枠（短辺ｂ２）とが連続する隅部（図７では左下および右上隅部）に、嵌合乗載される。
【００４８】
これら小サイズジグソーパズル用位置決め片Ｎ，Ｎ，Ｑ，Ｑを台座Ａの四隅に乗載嵌合すると、該位置決め辺Ｎ，Ｎ，Ｑ，Ｑの間に、小サイズのジグソーパズルＰ１がちょうど収まるようになっており、該ジグソーパズルＰ１を位置決めするのに用いる。
【００４９】
Ｒ，Ｒは、中サイズジグソーパズル用補助押さえ枠（横枠用）で、縦３６ｍｍ、横３０ｍｍの方形をなすその主体部ｒ’の上面には、上記押さえ枠Ｈ，Ｊ，Ｋと同様に、径３ｍｍ高さ３ｍｍの円柱状の装飾突起ｒ１・・・が、縦横に５ｍｍピッチで多数列設されている。
上記主体部ｒ’の一側（外側）縁部には、高さ１５ｍｍの垂下壁ｒ２が連設されており、他側（内側）縁部には高さ６ｍｍの垂下壁ｒ３が連設されている。
また、その主体部ｒ’の両側壁ｒ４，ｒ５の下縁には支持板ｒ６，ｒ６’が水平に延出され、この一方の支持板ｒ６上には円柱突起ｒ７〜ｒ９が所定の配置にして、また、他方の支持板ｒ６’上には円柱突起ｒ１０〜ｒ１２が所定の位置関係にして立設されている。
ｒ１３，ｒ１３は側壁ｒ４，ｒ５の上記垂下壁ｒ２寄りの、上記支持板ｒ６，ｒ６’の外縁の軸線上の位置に、該側壁ｒ４，ｒ５および支持板ｒ６，ｒ６’の外縁を切り欠いて形成した、切欠きである。
ｒ１４，ｒ１４は、上記側壁ｒ４，ｒ５の上記垂下壁ｒ３寄りの位置に水平に突出させた底板の先端に起立片を立設してなるＬ字形の押さえ枠連結片（押さえ枠連結手段）である。
ｒ１５は、主体部ｒ’の下面の中央に形成された方形枠状の突起受部である。
【００５０】
Ｓ，Ｓは、中サイズジグソーパズル用補助押さえ枠（縦枠用）で、横３６ｍｍ，縦１０ｍｍの方形をなすその主体部ｓ’の上面には、上記補助押さえ枠Ｒ等と同様に、径３ｍｍ高さ３ｍｍの円柱状の装飾突起ｓ１・・・が、縦横に５ｍｍピッチで多数列設されている。
上記主体部ｓ’の一側（外側）縁部には、高さ１５ｍｍの垂下壁ｓ２が連設されており、他側（内側）縁部には高さ６ｍｍの垂下壁ｓ３が連設されている。
また、その主体部ｓ’の両側壁ｓ４，ｓ５の下縁には支持板ｓ６，ｓ６’が水平に延出されており、その一方の支持板ｓ６には、突起嵌合孔ｓ７と円柱突起ｓ８とが所定の位置関係にして設けられ、また、他方の支持板ｓ６’には突起嵌合孔ｓ９と円柱突起ｓ１０とが所定の位置関係にして設けられている。
ｓ１１，ｓ１１は、上記側壁ｓ４，ｓ５の上記垂下壁ｓ３寄りの位置の下縁から水平に突出させた底板の先端に起立片を立設してなるＬ字形の押さえ枠連結片（押さえ枠連結手段）である。
ｓ１２は上記主体部ｓ’の下面に形成された方形の突起受部である。
【００５１】
Ｔ，Ｔは、大サイズジグソーパズル用補助押さえ枠（横枠用）で、縦３６ｍｍ、横１５ｍｍの方形をなすその主体部ｔ’の上面には、上記補助押さえ枠Ｒ等と同様に、径３ｍｍ高さ３ｍｍの円柱状の装飾突起ｔ１・・・が、縦横に５ｍｍピッチで多数列設されている。
上記主体部ｔ’の一側（外側）縁部には高さ１５ｍｍの垂下壁ｔ２が連設されており、他側（内側）縁部には高さ６ｍｍの垂下壁ｔ３が連設されている。
その主体部ｔ’の両側壁ｔ４，ｔ５の下縁には支持板ｔ６，ｔ６’が水平に延出されており、その一方の支持板ｔ６には、円柱突起ｔ７，ｔ８および嵌合孔ｔ９が所定の位置関係にして設けられ、また、他方の支持板ｔ６’には円柱突起ｔ１０，ｔ１１，ｔ１２および嵌合孔ｔ１３が所定の位置関係にして設けられている。
ｔ１４，ｔ１４は、上記側壁ｔ４，ｔ５の上記垂下壁ｔ３寄りの位置の下縁から水平に突出させた底板の先端に起立片を立設してなるＬ字形の押さえ枠連結片（押さえ枠連結手段）である。
ｔ１５は上記主体部ｔ’の下面に形成された方形の突起受部である。
【００５２】
Ｕ，Ｕは、大サイズジグソーパズル用補助押さえ枠（縦枠用）で、横３６ｍｍ、縦２０ｍｍの方形をなすその主体部ｕ’の上面には、上記補助押さえ枠Ｔ等と同様に、径３ｍｍ高さ３ｍｍの円柱状の装飾突起ｕ１・・・が、縦横に５ｍｍピッチで多数列設されている。
上記主体部ｕ’の一側（外側）縁部には高さ１５ｍｍの垂下壁ｕ２が連設されており、他側（内側）縁部には高さ６ｍｍの垂下壁ｕ３が連設されている。
その主体部ｕ’の両側壁ｕ４，ｕ５の下縁には支持板ｕ６，ｕ６’が水平に延出されており、その一方の支持板ｕ６には、円柱突起ｕ７と切欠きｕ８とが設けられ、また、他方の支持板ｕ６’にも円柱突起ｕ９と切欠きｕ１０が設けられている。
ｕ１１，ｕ１１は、上記側壁ｕ４，ｕ５の上記垂下壁ｕ３よりの位置の下縁から水平に突出させた底板の先端に起立片を立設してなるＬ字形の押さえ枠連結片（押さえ枠連結手段）である。
ｕ１２は、上記主体部ｕ’の下面に形成された方形の突起受部である。
【００５３】
上記の部品から構成される本発明ジグソーパズル用フレームは、小サイズのジグソーパズルＰ１を、以下のようにして収めることができる。
【００５４】
まず、上記台座Ａの裏板支持部ｂ５，ｂ５に上記裏板Ｆを嵌合乗載するとともに、該台座Ａの四隅に、上記小サイズジグソーパズル用位置決め片Ｎ，Ｎ，Ｑ，Ｑを、それらの突起ｎ１，ｎ２，ｎ４，ｎ５およびｑ１，ｑ２，ｑ４，ｑ５を台座の丸孔ｂ３３〜ｂ４０，ｂ３３〜ｂ４０に嵌合させて載置する。
そして、それら小サイズジグソーパズル用位置決め片Ｎ，Ｎ，Ｑ，Ｑの内側に、小サイズのジグソーパズルＰ１を嵌合乗載し、さらに、この上にカバー板Ｇを、その四隅の切欠きｇ１〜ｇ４を、台座Ａの四隅の枠状突起Ｂ８・・・に嵌合させて乗載する。
【００５５】
続いて、台座Ａの周縁に、すなわち、その四隅に上記押さえ枠Ｊ，Ｊ，Ｋ，Ｋを、また、縦枠ｂ３，ｂ３上にそれぞれ上記押さえ枠Ｈ，Ｈを、さらに、横枠ｂ１，ｂ２、ｂ１，ｂ２上に、それぞれ上記押さえ枠Ｈを２つずつ、いずれも、上記ジグソーパズルＰ１のサイズに合わせた所定位置に取外し自在に取り付ける。取り付けた上記押さえ枠Ｊ，Ｋ，Ｈの内縁によって、上記小サイズのジグソーパズルＰ１の四辺を、上記カバー板Ｇ上から押圧固定する。
【００５６】
上記押さえ枠Ｊ，Ｋ，Ｈの台座Ａへの乗載固定は、具体的には、以下のように行う。
【００５７】
上記押さえ枠Ｊ，Ｊは、その突起受部ｊ１２，ｊ１８，ｊ１５（小サイズジグソーパズル用嵌合手段）を、台座Ａ側の円柱突起ｂ１５，ｂ１８，１９にそれぞれ嵌合させ、また、板状突起ｊ２１（小サイズジグソーパズル用嵌合手段）を、枠状突起ｂ８および板状突起ｂ９の間に嵌合させて、台座Ａの対向隅部（図１では右上隅と左下隅）に乗載固定される（図５，６）。
【００５８】
上記押さえ枠Ｋ，Ｋは、その突起受部ｋ１５，ｋ１８，ｋ１２（小サイズジグソーパズル用嵌合手段）を、台座Ａ側の円柱突起ｂ１７，ｂ１６，ｂ１２にそれぞれ嵌合させ、また、板状突起ｋ２１（小サイズジグソーパズル用嵌合手段）を、枠状突起ｂ８および板状突起ｂ９（図６）の間に嵌合させて、台座Ａの残った２箇所の隅部（図１では左上隅と右下隅）に乗載固定される。
【００５９】
上記押さえ枠Ｈ，Ｈの、台座Ａの縦枠（ｂ３，ｂ３）への乗載固定は、その突起受部ｈ１０，ｈ２３，ｈ２０，ｈ１５（小サイズジグソーパズル用嵌合手段）をそれぞれ台座Ａ側の円柱突起ｂ２３，ｂ２１，ｂ２０，ｂ２２（図６）に嵌合させて行われる。
この押さえ枠Ｈの乗載固定の際には、隣接する上記押さえ枠Ｊとの間に、上記押さえ枠連結片（押さえ枠連結手段）Ｌ（図４，図６）の起立板Ｌ２，Ｌ２を、互いの連結片係合部ｈ８，ｊ７に係合させて取り付け、互いを連結する。
また、上記押さえ枠Ｋの押さえ枠連結片（押さえ枠連結手段）ｋ２４を、押さえ枠Ｈの連結片係合部ｈ９に係合させて、両押さえ枠Ｋ，Ｈを連結する。
【００６０】
上記押さえ枠Ｈの、台座Ａの横枠（短辺ｂ２）（図１で右上および左下の位置）への乗載固定は、その突起受部ｈ１０，ｈ１５（小サイズジグソーパズル用嵌合手段）をそれぞれ台座Ａ（主固定板）側の、円柱ｄ３および円柱突起ｂ１４に嵌合させ、また板片ｈ２６を案内板片ｂ３０，ｂ３２（図５）の内側に案内させて行われる。
この押さえ枠Ｈの乗載固定の際には、隣接する上記押さえ枠Ｊとの間に、上記押さえ枠連結片（押さえ枠連結手段）Ｌの起立板Ｌ２，Ｌ２を、互いの連結片係合部ｈ９，ｊ９’に係合させて取り付け、互いを連結する。
【００６１】
上記押さえ枠Ｈの、台座Ａの横枠（短辺ｂ１）（図１で右下および左上の位置）への乗載固定は、その突起受部ｈ１０，ｈ１５（小サイズジグソーパズル用嵌合手段）をそれぞれ台座Ａ（主固定板Ｄ）側の円柱ｄ４および円柱突起ｂ１１に嵌合させ、また板片ｈ２６を案内板片ｂ２６，ｂ２８の内側に案内させて行われる。
この押さえ枠Ｈの乗載固定の際には、隣接する上記押さえ枠Ｋとの間に、上記押さえ枠連結片（押さえ枠連結手段）Ｌの起立板Ｌ２，Ｌ２を、互いの連結片係合部ｈ８，ｋ９’に係合させて取り付け、互いを連結し、また、隣接する押さえ枠Ｈ同士の間にも同様に押さえ枠連結片（押さえ枠連結手段）Ｌの起立板Ｌ２，Ｌ２を、互いの連結片係合部ｈ８，ｈ９に係合させて取り付け、互いを連結する。
【００６２】
小サイズのジグソーパズルＰ１の四辺は、上記のようにして押さえ枠Ｈ・・・，Ｊ，Ｊ，Ｋ，Ｋにより上記カバー板Ｇ上から押圧固定される。
上記各押さえ枠Ｈ，Ｊ，Ｋはいずれも、その上面に多数の装飾突起ｈ１・・・、Ｊ３・・・、ｋ３・・・が等間隔で立設されているので、趣向性のある外観をなすとともに、互いの継ぎ目が目立たないようになっている。
また、それら押さえ枠Ｈ，Ｊ，Ｋの上面の任意の位置には、任意の上記装飾ブロックＭ１〜Ｍ５を、その嵌合突起ｍ６・・・を上記装飾突起ｈ１・・・、Ｊ３・・・、ｋ３・・・に嵌合させて取り付けて、飾り付けを行うことができるので、独自性の高い装飾とすることができる（図２７）。
【００６３】
本実施例のジグソーパズル用フレームはまた、中サイズ（横長サイズ）のジグソーパズルＰ２を、以下のようにして収めることができる。
【００６４】
まず、上記台座Ａの裏板支持部ｂ５，ｂ５に上記裏板Ｆを嵌合乗載するとともに、中サイズのジグソーパズルＰ２を嵌合乗載し、さらに、この上にカバー板Ｇを、その四隅の切欠きｇ１〜ｇ４を、台座Ａの四隅の枠状突起ｂ８・・・に嵌合させて乗載する。
【００６５】
続いて、台座Ａの周縁に、すなわち、その各縦枠ｂ３，ｂ３の所定位置にそれぞれ中サイズジグソーパズル用補助押さえ枠（縦枠用）Ｓ，Ｓを、各横枠（ｂ１，ｂ２、ｂ１，ｂ２）の中央にそれぞれ中サイズジグソーパズル用補助押さえ枠（横枠用）Ｒ，Ｒを、台座Ａの四隅に上記押さえ枠Ｊ，Ｊ，Ｋ，Ｋを、また、上記各縦枠（ｂ３，ｂ３）にそれぞれ押さえ枠Ｈ，Ｈを、そして、上記各横枠（ｂ１，ｂ２、ｂ１，ｂ２）の上記補助押さえ枠（横枠用）Ｒ，Ｒの両側に押さえ枠Ｈ，Ｈ、Ｈ，Ｈを、いずれも上記ジグソーパズルＰ２のサイズに合わせた所定位置に、取外し自在に取り付ける。これらの押さえ枠によって、上記中サイズのジグソーパズルＰ２の四辺は、上記カバー板Ｇ上から押圧固定される。
【００６６】
上記押さえ枠Ｊ，Ｋ，Ｈおよび補助押さえ枠Ｒ，Ｓの台座Ａへの乗載固定は、具体的には、以下のように行う。
【００６７】
上記中サイズジグソーパズル用補助押さえ枠（横枠用）Ｒ，Ｒは、その突起受部ｒ１５（嵌合手段）を、角柱ｄ２に嵌合させ、また、切欠きｒ１３，ｒ１３（嵌合手段）を円柱ｄ３，ｄ４に嵌合させて、上記横枠（ｂ１，ｂ２，ｂ１，ｂ２）の中央にそれぞれ乗載固定される（図３２）。
【００６８】
中サイズジグソーパズル用補助押さえ枠（縦枠用）Ｓ，Ｓは、その突起受部ｓ１２（嵌合手段）を角柱突起ｂ２４に嵌合させ、また、突起嵌合孔（嵌合手段）ｓ７，ｓ９を円柱突起ｂ１９，ｂ２３にそれぞれ嵌合させて、上記各縦枠（ｂ３，ｂ３）にそれぞれ乗載固定される（図３２）。
【００６９】
上記押さえ枠Ｊ，Ｊは、その突起受部ｊ１０，ｊ１６，ｊ１３（中サイズジグソーパズル用嵌合手段）を、台座Ａ側の円柱突起ｂ１５，ｂ１８，ｂ１９にそれぞれ嵌合させ、また、板状突起ｊ１９（中サイズジグソーパズル用嵌合手段）を、枠状突起ｂ８および板状突起ｂ９の間に嵌合させて、台座Ａの対向隅部（図３０では右上隅と左下隅）に乗載固定される（図３２，３３）。
また、その乗載固定の際には、隣接する中サイズジグソーパズル用補助押さえ枠（縦枠用）Ｓの押さえ枠連結片（押さえ枠連結手段）ｓ１１を、連結片係合部ｊ７に係合させることにより、互いが固定される。
【００７０】
上記押さえ枠Ｋ，Ｋは、その突起受部ｋ１３、ｋ１６、ｋ１０，ｋ１９（中サイズジグソーパズル用嵌合手段）を、台座Ａ側の円柱突起ｂ１７，ｂ１６，ｂ１２にそれぞれ嵌合させ、また、板状突起ｋ１９（中サイズジグソーパズル用嵌合手段）を、枠状突起ｂ８および板状突起ｂ９（図３３）の間に嵌合させて、台座Ａの残った２箇所の隅部（図３０では左上隅と右下隅）に乗載固定される。
【００７１】
上記押さえ枠Ｈ，Ｈの、台座Ａの縦枠ｂ３，ｂ３への乗載固定は、その突起受部（中サイズジグソーパズル用嵌合手段）ｈ１３，ｈ２４，ｈ２１，ｈ１７を、それぞれ台座Ａ側の円柱突起ｂ２３，ｂ２１，ｂ２０，ｂ２２（図３３）に嵌合させ、また、突起受部（中サイズジグソーパズル用嵌合手段）ｈ１２を上記補助押さえ枠（縦枠用）Ｓの円柱突起ｓ１０に嵌合させるとともに、さらに、連結片係合部ｈ８を上記補助押さえ枠（縦枠用）Ｓの押さえ枠連結片（押さえ枠連結手段）ｓ１１に、連結片係合部ｈ９を押さえ枠Ｋの連結片（押さえ枠連結手段）ｋ２４に係合させて行われる。
【００７２】
上記押さえ枠Ｈの、台座Ａの横枠（短辺ｂ２）（図３０で右上および左下の位置）への乗載固定は、その突起受部ｈ１９，ｈ１１，ｈ１２，ｈ１３（中サイズジグソーパズル用嵌合手段）をそれぞれ円柱突起ｂ１４，ｒ１２，ｒ１１，ｒ１０に嵌合させ、切欠きｈ４を円柱ｄ３に嵌合させるとともに、板片ｈ２６および案内板片ｈ２７を案内板片ｂ２９とｂ３０の間に案内させ、また、板片ｈ２６と案内板片ｈ３０を案内板片ｂ３１とｂ３２の間に案内させて行われる（図３２，３３）。
また、この乗載固定の際には、連結片係合部ｈ９が押さえ枠Ｊの押さえ枠連結片（押さえ枠連結手段）ｊ９’に係合し、また、突起受部ｈ１６が同押さえ枠Ｊの円柱突起ｊ８に嵌合する。
【００７３】
上記押さえ枠Ｈの、台座Ａの横枠（短辺ｂ１）（図３０で左上および右下の位置）への乗載固定は、その突起受部ｈ１１，ｈ１９，ｈ１７，ｈ１６（中サイズジグソーパズル用嵌合手段）をそれぞれ円柱突起ｂ１１，ｒ７，ｒ８，ｒ９に嵌合させ、切欠きｈ５を円柱ｄ４に嵌合させるとともに、板片２６と案内板片ｈ２７を案内板片ｂ２５とｂ２６の間に案内させ、また、板片２６と案内板片ｈ３０を案内板片ｂ２７とｂ２８の間に案内させて行われる（図３２，３３）。
また、この乗載固定の際には、連結片係合部ｈ８が押さえ枠Ｋの押さえ枠連結片（押さえ枠連結手段）ｋ９’に係合し、また、突起受部ｈ１４が同押さえ枠Ｋの円柱突起ｋ８に嵌合する。
【００７４】
中サイズのジグソーパズルＰ２の四辺は、上記のようにして押さえ枠Ｈ・・・，Ｊ，Ｊ，Ｋ，Ｋおよび補助押さえ枠Ｒ，Ｒ，Ｓ，Ｓにより上記カバー板Ｇ上から押圧固定される。
【００７５】
大サイズのジグソーパズルＰ３は、本実施例のジグソーパズル用フレームに、以下のようにして納められる。
【００７６】
まず、上記台座Ａの裏板支持部ｂ５，ｂ５上に上記裏板Ｆを嵌合乗載するとともに、大サイズのジグソーパズルＰ３を乗載し、さらに、この上に、カバー板Ｇを、その四隅の切欠きｇ１〜ｇ４を、台座Ａの四隅の枠状突起ｂ８・・・に嵌合させて乗載する。
【００７７】
続いて、台座Ａの周縁に、すなわちその各縦枠ｂ３，ｂ３の所定位置にそれぞれ大サイズジグソーパズル用補助押さえ枠（縦枠用）Ｕ，Ｕを、また、各横枠ｂ１，ｂ２、ｂ１，ｂ２の中央にそれぞれ大サイズジグソーパズル用補助押さえ片（横枠用）Ｔ，Ｔを、台座Ａの四隅に上記押さえ枠Ｊ，Ｊ，Ｋ，Ｋを、また、上記各縦枠ｂ３，ｂ３にそれぞれ押さえ枠Ｈ，Ｈを、そして、上記各横枠ｂ１，ｂ２、ｂ１，ｂ２の上記補助押さえ枠（横枠用）Ｔ，Ｔの両側に押さえ枠Ｈ，Ｈ、Ｈ，Ｈを、いずれも上記ジグソーパズルＰ３のサイズに合わせた所定位置に取外し自在に取り付ける。
その取付により、上記大サイズのジグソーパズルＰ３の四辺は、各押さえ枠の内縁により上記カバー板Ｇ上から押圧固定される。
【００７８】
上記押さえ枠Ｊ，Ｋ，Ｈおよび補助押さえ枠Ｔ，Ｕの台座Ａへの乗載固定は、具体的には、以下のように行う。
【００７９】
上記大サイズジグソーパズル用補助押さえ枠（横枠用）Ｔ，Ｔは、その突起受部ｔ１５（嵌合手段）を角柱ｄ２に嵌合させ、また、嵌合孔ｔ９，ｔ１３（嵌合手段）を円柱ｄ４，ｄ３に嵌合させて、上記横枠ｂ１，ｂ２、ｂ１，ｂ２の中央にそれぞれ乗載固定される（図４３，４４）。
【００８０】
上記大サイズジグソーパズル用補助押さえ枠（縦枠用）Ｕ，Ｕは、その突起受部ｕ１２（嵌合手段）を角柱突起ｂ２４に嵌合させ、また、切欠きｕ８，ｕ１０（嵌合手段）を円柱突起ｂ１９，ｂ２３にそれぞれ嵌合させて、上記各縦枠ｂ３，ｂ３にそれぞれ乗載固定される（図４３，４４）。
【００８１】
上記押さえ枠Ｊ，Ｊは、その突起受部ｊ１４，ｊ１７，ｊ１１（大サイズジグソーパズル用嵌合手段）を、円柱突起ｂ１９，ｂ１８，ｂ１５にそれぞれ嵌合させ、突起受部ｊ１３を  補助押さえ枠（縦枠用）Ｕの円柱突起ｕ７に嵌合させ、さらに板状突起ｊ２０（大サイズジグソーパズル用嵌合手段）を枠状突起ｂ８および板状突起ｂ９の間に嵌合させて、台座Ａの対向隅部（図４２では右上隅と左下隅）に乗載固定される（図４４，４５）。
また、この乗載固定の際には、連結片係合部ｊ７を、隣接する補助押さえ枠（縦枠用）Ｕの押さえ枠連結片（押さえ枠連結手段）ｕ１１に係合させて、互いが固定される。
【００８２】
上記押さえ枠Ｋ，Ｋは、その突起受部ｋ１１，ｋ１７，ｋ１４（大サイズジグソーパズル用嵌合手段）を、台座Ａ側の円柱突起ｂ１２，ｂ１６，ｂ１７にそれぞれ嵌合させ、また、板状突起ｋ２０（大サイズジグソーパズル用嵌合手段）を、枠状突起ｂ８および板状突起ｂ９の間に嵌合させて、台座Ａの対向隅部（図４２では左上隅と右下隅）に乗載固定される（図４５）。
【００８３】
上記押さえ枠Ｈ，Ｈの台座Ａの縦枠ｂ３，ｂ３への乗載固定は、その突起受部（大サイズジグソーパズル用嵌合手段）ｈ１４，ｈ２５，ｈ２２，ｈ１８を、それぞれ台座Ａ側の円柱突起ｂ２３，ｂ２１，ｂ２０，ｂ２２に、また、突起受部ｈ１３を円柱突起ｕ９に、突起受部ｈ１６を円柱突起ｋ２３に嵌合させて行う。
さらに、このとき、連結片係合部ｈ８，ｈ９をそれぞれ大サイズジグソーパズル用補助押さえ枠（縦枠用）の押さえ枠連結片（押さえ枠連結手段）ｕ１１、および、押さえ枠Ｋの押さえ枠連結片（押さえ枠連結手段）ｋ２４に係合させる（図４５参照）。
【００８４】
上記押さえ枠Ｈの、台座Ａの横枠（短辺ｂ２）（図４２で右上および左下の位置）への乗載固定は、その突起受部ｈ１６（大サイズジグソーパズル用嵌合手段）を円柱突起ｂ１４に嵌合させ、案内板片ｈ２８を案内板片ｂ２９，ｂ３０の間に、また、案内板片ｈ３１を案内板片ｂ３１，ｂ３２の間に案内させて行われる（図４４参照）。
このとき、突起受部ｈ１１，ｈ１２，ｈ１３は補助押さえ枠（横枠用）Ｔの円柱突起ｔ１２，ｔ１１，ｔ１０にそれぞれ嵌合し、連結片係合部ｈ８は押さえ枠連結片（押さえ枠連結手段）ｔ１４に係合する。
また、連結片係合部ｈ９は押さえ枠Ｊの押さえ枠連結片（押さえ枠連結手段）ｊ９’に係合し、突起受部ｈ１６は円柱突起ｊ８に嵌合する。
【００８５】
上記押さえ枠Ｈの、台座Ａの横枠（短辺ｂ１）（図４２で右下および左上の位置）への乗載固定は、その突起受部ｈ１２（大サイズジグソーパズル用嵌合手段）を円柱突起ｂ１１に嵌合させ、案内板片ｈ２８を案内板片ｂ２７，ｂ２８の間に、また、案内板片ｈ３１を案内板片ｂ２５，ｂ２６の間に案内させて行われる（図４５参照）。
このとき、突起受部ｈ１７，ｈ１９は、補助押さえ枠（横枠用）Ｔの円柱突起ｔ８，ｔ７にそれぞれ嵌合し、連結片係合部ｈ９は押さえ枠連結片（押さえ枠連結手段）ｔ１４に係合する（図４４参照）。
また、連結片係合部ｈ８は、押さえ枠Ｋの押さえ枠連結片（押さえ枠連結手段）ｋ９’に係合し、突起受部ｈ１４は円柱突起ｊ８に嵌合する。
【００８６】
大サイズのジグソーパズルＰ３の四辺は、上記のようにして押さえ枠Ｈ・・・，Ｊ，Ｊ，Ｋ，Ｋおよび補助押さえ枠Ｔ，Ｔ，Ｕ，Ｕにより上記カバー板Ｇ上から押圧固定される。
【００８７】
上記のように、本ジグソーパズル用フレームは、複数の押さえ枠Ｈ，Ｊ，Ｋ，Ｒ，Ｓ，Ｔ，Ｕを、台座Ａに対して所定位置に乗載固定することで、互いにサイズを異にするジグソーパズルをそれぞれのサイズ合わせて収めることができ
【００８８】
なお、上記台座Ａは、２つの枠Ｂ，Ｂ’からなるものとしたがより多くの部分に分割して構成すれば、該ジグソーパズル用フレームは、コンパクトに収納、包装可能なものとなる。
【００８９】
また、上記では１０００ピースのジグソーパズルを例に挙げて説明したが、５００ピースや３００ピースのジグソーパズルについても、寸法を適宜変更して、同様のジグソーパズル用フレームを用意することができる。
【図面の簡単な説明】
【００９０】
【図１】本発明の実施例に係るジグソーパズル用フレームに小サイズのジグソーパズルを収めた状態の平面図である。
【図２】同上の押さえ枠を取り外した状態の斜視図である。
【図３】同上の分解斜視図である。
【図４】裏板と小サイズのジグソーパズルとカバー板を乗載した台座と、この台座に取り付けられる押さえ枠とを示す一部拡大平面図である。
【図５】図４の要部拡大平面図である。
【図６】上記台座に上記押さえ枠を順次取り付ける様子を示した要部拡大平面図である。
【図７】上記台座の斜視図である。
【図８】上記台座を構成する枠の平面図である。
【図９】その枠の底面図である。
【図１０】２つの上記枠を連結する主固定板の斜視図である。
【図１１】上記２つの枠を連結する副固定板の斜視図である。
【図１２】棒状の押さえ枠の斜視図である。
【図１３】その底面図である。
【図１４】その正面図である。
【図１５】その側面図である。
【図１６】Ｌ字形の押さえ枠の斜視図である。
【図１７】その底面図である。
【図１８】その背面図である。
【図１９】その側面図である。
【図２０】逆Ｌ字形の押さえ枠の斜視図である。
【図２１】その底面図である。
【図２２】その正面図である。
【図２３】その側面図である。
【図２４】押さえ枠連結片の斜視図である。
【図２５】（ａ）は小サイズジグソーパズル用位置決め片の平面図、（ｂ）はその側面図、（ｃ）はその底面図である。
【図２６】（ａ）は他の小サイズジグソーパズル用位置決め片の平面図、（ｂ）はその側面図、（ｃ）はその底面図である。
【図２７】上記押さえ枠に取り付けた複数の装飾ブロックの平面図である。
【図２８】それら装飾ブロックの側面図である。
【図２９】それらの底面図である。
【図３０】本発明の実施例に係るジグソーパズル用フレームに中サイズのジグソーパズルを収めた状態の平面図である。
【図３１】裏板と中サイズのジグソーパズルとカバー板を乗載した台座と、この台座に取り付けられる押さえ枠と、中サイズジグソーパズル用補助押さえ枠とを示す部分拡大平面図である。
【図３２】図３１の要部拡大平面図である。
【図３３】上記台座に、上記中サイズジグソーパズル用補助押さえ枠と押さえ枠とを順次取り付ける様子を示した要部拡大平面図である。
【図３４】上記中サイズジグソーパズル用補助押さえ枠（横枠用）の斜視図である。
【図３５】その底面図である。
【図３６】その正面図である。
【図３７】その側面図である。
【図３８】上記中サイズジグソーパズル用補助押さえ枠（縦枠用）の斜視図である。
【図３９】その底面図である。
【図４０】その正面図である。
【図４１】その側面図である。
【図４２】本発明の実施例に係るジグソーパズル用フレームに大サイズのジグソーパズルを収めた状態の平面図である。
【図４３】裏板と大サイズのジグソーパズルとカバー板を乗載した台座と、この台座に取り付けられる押さえ枠と、大サイズジグソーパズル用補助押さえ枠とを示す部分拡大平面図である。
【図４４】上記台座に、上記大サイズジグソーパズル用補助押さえ枠を取り付けた状態を示した要部拡大平面図である。
【図４５】上記台座に、押さえ枠を順次取り付ける様子を示した要部拡大平面図である。
【図４６】上記大サイズジグソーパズル用補助押さえ枠（横枠用）の斜視図である。
【図４７】その底面図である。
【図４８】その正面図である。
【図４９】その側面図である。
【図５０】上記大サイズジグソーパズル用補助押さえ枠（縦枠用）の斜視図である。
【図５１】その底面図である。
【図５２】その正面図である。
【図５３】その側面図である。
【符号の説明】
【００９１】
Ａ 台座
Ｂ 第１の枠
Ｂ’ 第２の枠
Ｄ 主固定板
Ｅ 副固定板
Ｆ 裏板
Ｇ カバー板
Ｈ 押さえ枠
Ｊ 押さえ枠
Ｋ 押さえ枠
Ｌ 押さえ枠連結片（押さえ枠連結手段）
Ｍ１〜Ｍ５ 装飾ブロック
Ｎ，Ｑ 小サイズジグソーパズル用位置決め片
Ｐ１ 小サイズのジグソーパズル
Ｐ２ 中サイズのジグソーパズル
Ｐ３ 大サイズのジグソーパズル
Ｒ 中サイズジグソーパズル用補助押さえ枠（横枠用）
Ｓ 中サイズジグソーパズル用補助押さえ枠（縦枠用）
Ｔ 大サイズジグソーパズル用補助押さえ枠（横枠用）
Ｕ 大サイズジグソーパズル用補助押さえ枠（縦枠用）
ｂ１，ｂ２   横枠（短辺）
ｂ３      縦枠（長辺）
ｂ８〜ｂ２４ 突起
ｈ１０〜ｈ２５ 突起受部
ｈ１，ｊ３，ｋ３，ｒ１，ｓ１，ｔ１，ｕ１ 装飾突起
ｍ６  嵌合突起
ｋ２４，ｒ１４，ｓ１１，ｔ１４，ｕ１１ 押さえ枠連結片（押さえ枠連結手段） 
ｊ９’  連結片係合部（押さえ枠連結手段）
【図１】
2008067736.tif 000003
【図２】
2008067736.tif 000004
【図３】
2008067736.tif 000005
【図４】
2008067736.tif 000006
【図５】
2008067736.tif 000007
【図６】
2008067736.tif 000008
【図７】
2008067736.tif 000009
【図８】
2008067736.tif 000010
【図９】
2008067736.tif 000011
【図１０】
2008067736.tif 000012
【図１１】
2008067736.tif 000013
【図１２】
2008067736.tif 000014
【図１３】
2008067736.tif 000015
【図１４】
2008067736.tif 000016
【図１５】
2008067736.tif 000017
【図１６】
2008067736.tif 000018
【図１７】
2008067736.tif 000019
【図１８】
2008067736.tif 000020
【図１９】
2008067736.tif 000021
【図２０】
2008067736.tif 000022
【図２１】
2008067736.tif 000023
【図２２】
2008067736.tif 000024
【図２３】
2008067736.tif 000025
【図２４】
2008067736.tif 000026
【図２５】
2008067736.tif 000027
【図２６】
2008067736.tif 000028
【図２７】
2008067736.tif 000029
【図２８】
2008067736.tif 000030
【図２９】
2008067736.tif 000031
【図３０】
2008067736.tif 000032
【図３１】
2008067736.tif 000033
【図３２】
2008067736.tif 000034
【図３３】
2008067736.tif 000035
【図３４】
2008067736.tif 000036
【図３５】
2008067736.tif 000037
【図３６】
2008067736.tif 000038
【図３７】
2008067736.tif 000039
【図３８】
2008067736.tif 000040
【図３９】
2008067736.tif 000041
【図４０】
2008067736.tif 000042
【図４１】
2008067736.tif 000043
【図４２】
2008067736.tif 000044
【図４３】
2008067736.tif 000045
【図４４】
2008067736.tif 000046
【図４５】
2008067736.tif 000047
【図４６】
2008067736.tif 000048
【図４７】
2008067736.tif 000049
【図４８】
2008067736.tif 000050
【図４９】
2008067736.tif 000051
【図５０】
2008067736.tif 000052
【図５１】
2008067736.tif 000053
【図５２】
2008067736.tif 000054
【図５３】
2008067736.tif 000055